(57)【特許請求の範囲】
【請求項１】
環境制御デバイスの動作方法であって、
前記環境制御デバイスの利用要求を前記環境制御デバイスにおいて受信することと、
前記利用要求の受信に応じて認可要求を課金システムへ送信することと、
前記認可要求に応じて前記課金システムから起動メッセージを受信することと、
温度パラメータ、湿度パラメータ、イオン化パラメータ、除湿パラメータ、空気浄化パラメータ、音響パラメータ、及び芳香パラメータを含み、それぞれのパラメータが、複数の回数、複数の持続時間、及び複数の設定値のそれぞれ一つに関連する環境制御プログラムを特定するユーザ入力を受信することと、
前記環境制御プログラムに基づいて環境を変更するように構成された複数の環境制御サブシステムを起動することと、
複数の使用状況パラメータに基づいて支払いメッセージを前記課金システムへ送信することと、を含み、前記支払いメッセージの結果としてユーザの口座に対する課金を行う方法。
【請求項２】
請求項１に記載の方法であって、
芳香材の量を示す状態メッセージを送信することをさらに含む方法。
【請求項３】
環境制御デバイスであって、
前記環境制御デバイスの利用要求を受信し、前記利用要求の受信に応じて認可要求を課金システムへ送信し、前記認可要求に応じて前記課金システムに関連する情報を含む起動メッセージを受信し、複数の使用状況パラメータに基づいて支払いメッセージを前記課金システムへ送信するように構成されたネットワークインタフェースであって、前記支払いメッセージの結果としてユーザの口座に対する課金が行われるネットワークインタフェースと、
温度パラメータ、湿度パラメータ、イオン化パラメータ、除湿パラメータ、空気浄化パラメータ、音響パラメータ、及び芳香パラメータを含み、それぞれのパラメータが、複数の回数、複数の持続時間、及び複数の設定値のそれぞれ一つに関連する環境制御プログラムを特定するユーザ入力を受信するように構成されたユーザインタフェースと、
前記環境制御プログラムに基づいて環境を変更するように構成された環境制御サブシステムと、を備える環境制御デバイス。
【請求項４】
請求項３に記載の環境制御デバイスであって、
前記ネットワークインタフェースは、芳香材の量を示す状態メッセージを送信するようにさらに構成される環境制御デバイス。
【請求項５】
環境を制御するための装置であって、
環境制御デバイスの利用要求を受信する手段と、
前記利用要求の受信に応じて認可要求を課金システムへ送信する手段と、
前記認可要求に応じて前記課金システムに関連する情報を含む起動メッセージを受信する手段と、
温度パラメータ、湿度パラメータ、イオン化パラメータ、除湿パラメータ、空気浄化パラメータ、音響パラメータ、及び芳香パラメータを含み、それぞれのパラメータが、複数の回数、複数の持続時間、及び複数の設定値のそれぞれ一つに関連する環境制御プログラムを特定するユーザ入力を受信する手段と、
前記環境制御プログラムに基づいて環境を変更するための複数の環境制御サブシステムを起動する手段と、
複数の使用状況パラメータに基づいて前記課金システムへ支払いメッセージを送信する手段と、を備え、前記支払いメッセージの結果としてユーザの口座に対する課金を行う装置。
【請求項６】
請求項５に記載の装置であって、
芳香材の量を示す状態メッセージを送信する手段をさらに備える装置。
【発明の詳細な説明】
【関連出願との相互参照】
【０００１】
本願は、２０１０年１２月１日出願の米国仮出願６１／４１８，６７４の利益を主張するものであり、本仮出願の全体は本明細書に組み込まれている。
【技術分野】
【０００２】
本発明は、あるエリアの環境を制御するためのシステム、方法および装置を対象とするものである。
【背景技術】
【０００３】
周囲が閉じられた空間あるいは開かれた空間における環境を制御するデバイスが現代社会の重要かつ必要な一部となっている。家庭環境および商業環境において、環境をより快適にあるいはより安楽にするのに役立つ様々な機器が利用されている。環境の制御機能を提供する従来の機器として、空調装置、暖房器、加湿器および同様のデバイスが挙げられる。
【０００４】
ある環境において、あるエリアを訪れる訪問者が環境制御デバイスにアクセスして、そのエリア内の環境を変動できるようにする環境制御デバイスの提供が可能である。
【発明の概要】
【発明が解決しようとする課題】
【０００５】
本発明の実施形態によれば、環境制御デバイスならびに環境制御デバイスの動作方法が提供される。環境制御パラメータを含むユーザ入力が受信される。環境制御パラメータに基づいて環境を変更するように構成される環境制御サブシステムが起動される。使用状況パラメータに基づいて支払いメッセージが課金システムへ送信される。この支払いメッセージの結果としてユーザの口座に対して課金が行われる。
【課題を解決するための手段】
【０００６】
実施形態によっては環境制御デバイスの利用要求が受信されるものもある。上記利用要求の受信に応じて認可要求が課金システムへ送信される。実施形態によっては起動メッセージが課金システムから受信される場合もある。実施形態によってはこの起動メッセージが無線ネットワークを介して受信されるものもある。実施形態によっては、上記環境制御パラメータが、温度、湿度、イオン化／浄化および香り識別子から成るグループから選択されるものもある。実施形態によってはユーザ入力が複数の環境制御パラメータおよび持続時間パラメータを含むものもある。実施形態によっては消耗物質の量を示すパラメータを含む状態メッセージが送信されるものもある。実施形態によっては支払いメッセージが利用状况表示を含むものもある。実施形態によっては照明システムが変更される場合もある。
【０００７】
以下の詳細な説明および添付図面を参照することにより、本開示のこれらの有利な点およびその他の有利な点が当業者に明らかになるであろう。
【図面の簡単な説明】
【０００８】
【図１】ＬＡＮを介して接続されると共に、さらにネットワークを介して実施形態に係る遠隔監視装置と接続される環境制御デバイス、課金システムおよびユーザデバイスを示す。
【０００９】
【図２】実施形態に係る例示の環境制御デバイスの機能構成要素を示す。
【００１０】
【図３】実施形態に係る環境制御サブシステムの機能構成要素を示す。
【００１１】
【図４】実施形態に係る通信モジュールの機能構成要素を示す。
【００１２】
【図５】実施形態に係るユーザインタフェースモジュールの機能構成要素を示す。
【００１３】
【図６】実施形態に係る維持管理兼監視モジュールの機能構成要素を示す。
【００１４】
【図７】実施形態に係る課金システムの機能構成要素を示す。
【００１５】
【図８】実施形態に係るユーザデバイスの機能構成要素を示す。
【００１６】
【図９】実施形態に係る遠隔監視装置の機能構成要素を示す。
【００１７】
【図１０】実施形態に係る環境制御デバイスの動作方法を示すフローチャートである。
【００１８】
【図１１】本発明を実施するために使用され得る例示のコンピュータの構成要素を示す。
【発明を実施するための形態】
【００１９】
本発明の実施形態によれば、環境制御デバイスの動作方法が提供される。環境制御パラメータを含むユーザ入力が受信される。環境制御パラメータに基づいて環境を変更するように構成される環境制御サブシステムが起動される。使用状況パラメータに基づいて支払いメッセージが課金システムへ送信される。この支払いメッセージの結果としてユーザの口座に対して課金が行われる。
【００２０】
実施形態によっては環境制御デバイスの利用要求が受信されるものもある。上記利用要求の受信に応じて認可要求が課金システムへ送信される。実施形態によっては起動メッセージが課金システムから受信される場合もある。実施形態によってはこの起動メッセージが無線ネットワークを介して受信されるものもある。実施形態によっては、環境制御パラメータが、温度、湿度、イオン化／浄化および芳香識別子から成るグループから選択されるものもある。実施形態によってはユーザ入力が複数の環境制御パラメータおよび持続時間パラメータを含むものもある。実施形態によっては消耗物質の量を示すパラメータを含む状態メッセージが送信されるものもある。実施形態によっては支払いメッセージが利用状况表示を含むものもある。実施形態によっては照明システムが変更される場合もある。
【００２１】
本願に記載の環境制御デバイスの実施形態はユーザによる局所的環境に対する制御を可能にし得るものである。ある実施形態では、上記環境制御デバイスは、ユーザからの支払い料金を要求して、機能するように図ることが可能である。ある実施形態では、このような料金は、紙幣や硬貨のような通貨を入れることにより環境制御デバイスにおいて徴収され得る。ある実施形態では、クレジットカード、ギフトカードあるいは同様の支払いデバイスを介してこのような料金を徴収することが可能である。ある実施形態では、例えば、ホテルの課金システムのような、ある施設の内部システムと接続された課金システムを介してこのような料金を徴収することが可能である。
【００２２】
本願に記載の環境制御デバイスの実施形態は、局所的環境での環境を変更するように機能することが可能である。上記では、局所的環境は部屋を指すものであってもよいが、本環境は、本願に記載の環境制御デバイスが、開かれた空間内のある特定のエリアあるいはさらに広い部屋の内部のある特定のエリアなど、さまざまな異なるエリアの環境を制御し得るものであってもよいことは当業者により理解されるであろう。ある実施形態では、航空機、自動車、貨車、船舶、トレーラあるいは同様の輸送機関など、移動体の周囲が閉じられた空間内に環境制御デバイスを設置することが可能である。ある実施形態では、環境制御デバイスは、ホテルの客室など周囲が閉じられた空間内の環境を制御することが可能である。実施形態によっては、家庭環境やオフィス環境あるいは別の同様の空間内において環境制御デバイスの使用が可能である。
【００２３】
局所的環境の制御機能を実行する際に、本願に記載の環境制御デバイスは、局所的環境の特定の諸局面を変動させるように動作する１以上の環境制御サブシステムを備えることが可能である。ある実施形態では、環境制御デバイスのサブシステムは、温度、芳香、湿度、空気のイオン化／浄化、室内のオゾンレベル、音響環境およびその他の環境要因などの局所的環境の諸局面を制御することが可能である。
【００２４】
実施形態によっては、環境制御デバイスによって、現地管理者やローカルユーザが環境制御デバイスの状態および機能を遠隔地において監視することを可能にすることができる。実施形態によっては、ローカルエリアネットワークおよび／または広域ネットワークを介して、本願に記載の環境制御デバイスを、ネットワーク通信が可能な状態にすることができる。このようなネットワークと接続したネットワーク接続は、例えば、電話接続、有線のインターネット接続、無線接続あるいは別の同様の接続方式であってもよい。
【００２５】
図１は、環境制御デバイスにより提供されるサービスへのオンラインアクセスを実施形態に基づいて提供するために利用できる通信システム１００を示す。通信システム１００は、広域ネットワーク１０５、ＬＡＮ（ローカルエリアネットワーク）１０２、ユーザ施設１５０、環境制御デバイス１１０、課金システム１２０、ユーザデバイス１４０および遠隔監視装置１７０を備える。
【００２６】
図１の例示的な実施形態では広域ネットワーク１０５はインターネットである。別の実施形態では、広域ネットワーク１０５またはＬＡＮ１０２は、例えば、イントラネット、ローカルネットワーク（ＬＡＮ）、広域ネットワーク（ＷＡＮ）、無線ネットワーク、ファイバチャンネルベースのストレージネットワーク（ＳＡＮ）あるいはイーサネットのような１以上の異なる種類のネットワークを含むものであってもよい。別のネットワークの使用も可能である。上記とは別に、広域ネットワーク１０５またはＬＡＮ１０２は異なる種類のネットワークの組み合わせを含むものであってもよい。
【００２７】
図２は、実施形態に係る環境制御デバイス１１０の機能構成要素を示す。環境制御デバイス１１０は、通信モジュール２３０、ユーザインタフェースモジュール２４０、維持管理兼監視モジュール２５０および環境制御サブシステム２２０を備える。通信モジュール２３０は、環境制御デバイス１１０と広域ネットワーク１０５およびＬＡＮ１０２との接続を提供するネットワークインタフェースであってもよい。ユーザインタフェースモジュール２４０は、環境制御デバイス１１０のユーザによる環境制御デバイスとの相互交信を可能にする機能を提供する。例えば、ユーザインタフェースモジュール２４０は、ユーザによる環境制御デバイス１１０へのデータ入力および環境制御デバイス１１０からのデータの受信を可能にする表示部およびボタンを備えるものであってもよい。維持管理兼監視モジュール２５０は環境制御デバイス１１０の諸局面の監視機能を実行する。維持管理兼監視モジュール２５０は、ログ機能および異常検出機能を提供する。本検出機能は、環境制御デバイス１１０およびそのサブシステムの機能の以前の状態および現在の状態の判定に利用することができる。異常検出機能は、例えば、警告を行う警報システム、ならびに、ある実施形態では、環境制御デバイス１１０またはその構成要素の特定の状態に対して反応する警報システムであってもよい。環境制御サブシステム２２０は、局所的環境の制御を行うために機能し得る様々なモジュールに対応できるインタフェースを提供する。
【００２８】
実施形態では、環境制御サブシステム２２０は、環境制御デバイス１１０内へ接続され得る様々なモジュールに対応することができる。環境制御サブシステム２２０は、１以上のモジュールと、インタフェース用の物理的接続部を含み、この物理的接続部によってこのようなモジュールは環境制御サブシステム１１０の構成要素と通信を行うことが可能となる。実施形態では、環境制御サブシステム２２０と接続できるモジュールの例として、以下のモジュールが挙げられる：環境制御デバイス１１０の環境内で風を起こすことができるファンモジュール；環境制御デバイス１１０の環境内の湿度を変えることができる加湿／除湿モジュール；環境制御デバイス１１０の環境内の空気をイオン化することができるイオン化装置モジュール、およびエリア内の環境を変えるために使用できるその他のモジュール。
【００２９】
図３は、実施形態に係る環境制御サブシステム２２０の機能構成要素を示す。環境制御サブシステム２２０は、モジュールインタフェース３１０および様々な異なる環境制御モジュールを含む。環境制御モジュールの例として以下のモジュールを挙げることもできる：温度モジュール３３０、芳香モジュール３３２、イオン化／浄化モジュール３３４、音響環境モジュール３３６および加湿／除湿モジュール３３８。実施形態では、個々のモジュールは、デバイス条件および環境制御デバイス１１０に関連する環境要因を検出し得る１以上のセンサを含むことが可能である。ある実施形態では、環境制御サブシステム２２０と接続された個々のモジュールは、環境制御デバイス１１０に関連するセンサが検出した変化に応じてその出力を変えることが可能である。
【００３０】
ある実施形態では、環境制御サブシステム２２０は、消耗材料の１以上のソースと接続され得る。例えば、環境制御サブシステム２２０は、加湿／除湿モジュール３３８と共に使用するための水源や水槽を含んだり、これらと接続したりすることが可能である。環境制御サブシステム２２０は、芳香モジュール３３２と共に使用するための芳香材のソースなどの消耗品のソースを含んだり、このソースと接続したりすることが可能である。
【００３１】
実施形態では、温度モジュール３３０は、加熱エレメントおよびこの加熱エレメントからの暖かい空気を環境制御デバイス１１０の近傍エリア内へ送るためのファンを備えることが可能である。実施形態では、温度モジュール３３０はヒートポンプや空調ユニットのような冷却エレメントを備えることが可能である。実施形態では、加熱エレメント３３０は、環境制御デバイス１１０の近傍エリア内の温度に影響を与え得る他のデバイスを含み得る。実施形態では、温度モジュール３３０は、環境制御デバイス１１０の近傍内の温度を決定するためのサーモカップルまたは温度計を備えることが可能である。実施形態では、温度モジュール３３０は、例えば、温度モジュール３３０の動作中に消耗され得る冷却流体などの消耗品の現在の状態を監視するシステムを備えることが可能である。
【００３２】
実施形態では、芳香モジュール３３２は、芳香生成システムおよび環境制御デバイス１１０の近傍内へ生成された芳香を送る空気移動システムを備えることが可能である。例えば、ある実施形態では、芳香モジュール３３２は、芳香モジュール３３２が起動信号を受信したとき、あるいは、別様に動作状態にトリガーされたとき、開封され得る香水容器を備えることが可能である。ある実施形態では、芳香モジュール３３２は、香水容器に１以上の芳香を放出させるために香水容器を加熱する加熱エレメントを備えることが可能である。実施形態では、芳香モジュール３３２は「無芳香」モードに入り得るものであってもよい。「無芳香」モードでは、芳香モジュール３３２は、環境制御デバイス１１０の近傍から空気を取り込み、脱臭ユニットを通じてその空気を処理して、環境制御デバイス１１０の近傍内の空気から芳香を取り除くように図ることが可能である。
【００３３】
実施形態では、イオン化／浄化モジュール３３４は、イオン化装置および／または空気浄化デバイスを含むことが可能である。空気浄化デバイスおよび空気イオン化デバイスは、設置時に環境制御モジュール２２０の一部として含まれてもよいし、あるいは、環境制御デバイス１１０の設置後に追加されてもよい。
【００３４】
実施形態では、音響環境モジュール３３６は、オーディオスピーカを備えることが可能である。実施形態では、音響環境モジュール３３６は録音物を含むことが可能である。ある実施形態では、音響環境モジュール３３６は、ある音を発生させて、環境制御デバイス１１０の環境内やエリア内で聞こえるようにするためにユーザが選択できる電子音楽ファイルやコンパクトディスクなどの録音物を含んでもよい。実施形態では、音響環境モジュール３３６は、ホワイトノイズを発生させて、環境制御モジュール１１０のエリア内で聞えるようにすることが可能である。
【００３５】
実施形態では、加湿／除湿モジュール３３８は、環境制御デバイス１１０のエリア内で空気に湿気を付加したり、取り除いたりするシステムを備えることが可能である。実施形態では、加湿／除湿モジュール３３８はまた、環境制御デバイス１１０の近傍の空気のイオン化量および／または浄化量の増減を行うためのデバイスを備えることが可能である。
【００３６】
環境制御サブシステム２２０は、合成モジュール３４０を備えることが可能である。合成モジュールは、環境制御サブシステム２２０内の複数のモジュールとインタフェースを行って、同時的および／または協調的機能を提供するように図ることが可能である。実施形態では、合成モジュール３４０は、１以上の環境制御パラメータまたは１つの環境制御プログラムを受信することが可能である。上記１以上の環境制御パラメータまたは１つの環境制御プログラムに応じて、合成モジュール３４０は環境制御サブシステム２２０の１以上のモジュールを連続的にまたは並列的に機能させることが可能である。例えば、実施形態では、合成モジュール３４０は、温度モジュールと通信を行って、１時間などのある時間の間、ある特定の温度を維持することが可能である。
【００３７】
図４は、実施形態に係る通信モジュール２３０の機能構成要素を示す。通信モジュール２３０はローカルインタフェース４０２およびネットワークインタフェース４０４を備えることが可能である。通信モジュール２３０は、ＬＡＮ１０２および広域ネットワーク１０５を経由するネットワークインタフェース４０４を介して情報の送受信を行うことが可能である。通信モジュール２３０はまた、ローカルインタフェース４０２とユーザインタフェースモジュール２４０との間でデータの送受信を行うことが可能である。通信モジュール２３０はまた、環境制御デバイス１１０の他の構成要素間でデータの送受信を行うことが可能である。実施形態では、通信モジュール２３０は、コンピュータ、携帯用デバイス、電話あるいはその他の同様のデバイスからアクセス可能なウェブページを介して、ユーザによる環境制御デバイス１１０との通信を可能にするウェブサーバを備えることが可能である。
【００３８】
図５は、実施形態に係るユーザインタフェースモジュール２４０の機能構成要素を示す。ユーザインタフェースモジュール２４０は入力デバイス５０２および表示デバイス５０４を備える。実施形態では、ユーザインタフェースモジュール２４０は通信モジュール２３０を介してデータの送受信を行うことが可能である。例えば、実施形態では、環境制御デバイス１１０のユーザは、環境制御デバイス１１０に関する情報の表示を可能にし、次いで環境制御デバイス１１０へのユーザによるデータ入力を可能にするウェブページを介して通信モジュール２３０にアクセスすることが可能である。ユーザインタフェースモジュール２４０は、入力デバイス５０２を介してコインや紙幣を受け取るためのインタフェースを備えることが可能である。ユーザインタフェースモジュール２４０は、入力デバイス５０２を経由し、クレジットカードまたは同様のデバイスを介して支払いを受け取るためのインタフェースを備えることが可能である。ユーザインタフェースモジュール２４０は、環境制御デバイス１１０の状態に関連する情報を表示デバイス５０４を介して提示することが可能である。
【００３９】
図６は、実施形態に係る維持管理兼監視モジュール２５０の機能構成要素を示す。維持管理兼監視モジュール２５０は、デバイスオーダーのデータベースサブシステム６１０、トラブル・シューティング診断サブシステム６１１、パフォーマンスサブシステム６１２、データの管理兼報告サブシステム６１３、ユーザインタフェースサブシステム６１４、ネットワーキングサブシステム６１５、ファンパフォーマンスサブシステム６１６、電子オペレーティングログサブシステム６１７、監視サブシステム６１８および環境制御サブシステム６１９を備えることが可能である。例えば、実施形態では、維持管理兼監視モジュール２５０は、上記に記載したサブシステムのすべてまたはいくつかとのインタフェースを行うことが可能である。実施形態では、図６に含まれているあるモジュールは維持管理兼監視モジュール２５０内に含まれてもよいし、含まれなくてもよい。ある実施形態では追加のサブシステムが図６に示すサブシステム内に追加して含まれてもよい。
【００４０】
ある実施形態ではデバイスオーダーのデータベースサブシステム６１０が維持管理兼監視モジュール２５０内に含まれてもよい。デバイスオーダーのデータベースサブシステム６１０は環境制御デバイス１１０の状態に関する情報を記録する。デバイスオーダーのデータベースサブシステム６１０に記録される情報は、現在の請求金額、請求履歴、現在使用中の環境制御パラメータ、過去に使用した環境制御パラメータ、環境制御デバイス１１０に関する状態情報、環境制御デバイス１１０に関する履歴情報および環境制御デバイス１１０の機能に関連するその他の情報を含み得る。
【００４１】
ある実施形態ではトラブル・シューティング診断サブシステム６１１が維持管理兼監視モジュール２５０内に含まれてもよい。トラブル・シューティング診断サブシステム６１１は環境制御デバイス１１０の機能評価に利用できるある機能を実行する。トラブル・シューティング診断サブシステム６１１は、環境制御デバイス１１０の状態、環境制御デバイス１１０への入力および環境制御デバイス１１０に関連するセンサが検出した情報に応じて、デバイスオーダーのデータベースサブシステム６１０、監視サブシステム６１８および維持管理兼監視モジュール２５０の別のサブシステムへ情報を送信することが可能である。
【００４２】
ある実施形態ではパフォーマンスサブシステム６１２は維持管理兼監視モジュール２５０内に含まれてもよい。パフォーマンスサブシステム６１２は環境制御デバイス１１０のパフォーマンス評価に利用できるある機能を実行する。パフォーマンスサブシステム６１２は、環境制御デバイス１１０の状態に応じて、デバイスオーダーのデータベースサブシステム６１０、監視サブシステム６１８、遠隔監視装置１７０および別のサブシステムへ情報を送信することが可能である。
【００４３】
ある実施形態ではデータの管理兼報告サブシステム６１３は維持管理兼監視モジュール２５０内に含まれてもよい。データの管理兼報告サブシステム６１３は、センサにより受信され、次いで環境制御デバイス１１０の異なる構成要素により生成されるデータの処理に利用できるある機能を実行する。データの管理兼報告サブシステム６１３は、環境制御デバイス１１０の状態に応じて、デバイスオーダーのデータベースサブシステム６１０、監視サブシステム６１８および別のサブシステムへ情報を送信することが可能である。
【００４４】
ある実施形態ではユーザインタフェースサブシステム６１４は維持管理兼監視モジュール２５０内に含まれてもよい。ユーザインタフェースサブシステム６１４は環境制御デバイス１１０のユーザインタフェースモジュール２４０と通信を行う。ユーザインタフェースサブシステム６１４は、ユーザデバイス１４０と遠隔監視装置１７０との間でメッセージ通信のやりとりを行って、維持管理兼監視モジュール２５０からメッセージの送受信が可能になるようにすることができる。
【００４５】
ある実施形態ではネットワーキングサブシステム６１５は維持管理兼監視モジュール２５０内に含まれてもよい。ネットワーキングサブシステム６１５は通信モジュール２３０と接続される。ネットワーキングサブシステム６１５は、ＬＡＮ１０２および広域ネットワーク１０５を介して、維持管理兼監視モジュール２５０との間でネットワーク化されたアクセスを可能にする。ある実施形態では、環境制御デバイス１１０の他の通信サブシステムが正常に動作しないとき、ネットワーキングサブシステム６１５は維持管理兼監視モジュール２５０へのネットワーク化されたアクセスを可能にすることもできる。
【００４６】
ある実施形態ではファンパフォーマンスサブシステム６１６は維持管理兼監視モジュール２５０内に含まれてもよい。ファンパフォーマンスサブシステム６１６は、環境制御サブシステム２２０と通信を行って、環境制御サブシステム２２０内に含まれている単複のファン情報を記録する。
【００４７】
ある実施形態では電子オペレーティングログサブシステム６１７が維持管理兼監視モジュール２５０内に含まれてもよい。電子オペレーティングログサブシステム６１７は環境制御デバイス１１０内の様々な電子構成要素と通信を行う。電子オペレーティングログサブシステム６１７は、環境制御デバイス１１０の状態に関する情報を記録することが可能である。電子オペレーティングログサブシステム６１７により記録された情報は、環境制御デバイス１１０の別のサブシステムおよびモジュールまたは外部デバイスへ伝えることが可能である。
【００４８】
ある実施形態では監視サブシステム６１８は維持管理兼監視モジュール２５０内に含まれてもよい。監視サブシステム６１８は、環境制御デバイス１１０に含まれているセンサから得られる情報を記録することが可能である。監視サブシステム６１８により受信された情報は、維持管理兼監視モジュール２５０または外部モジュールの別のサブシステムと通信され得る。
【００４９】
ある実施形態では環境制御サブシステム６１９は維持管理兼監視モジュール２５０内に含まれてもよい。環境制御サブシステム６１９は維持管理兼監視モジュール２５０と環境制御サブシステム２２０間のインタフェースを提供することが可能である。
【００５０】
図７は実施形態に係る課金システム１２０の機能構成要素を示す。課金システム１２０は通信モジュール７１０およびデータベース７２０を含む。実施形態では、課金システム１２０は、データを受信し、次いでそのデータを環境制御デバイス１１０のユーザインタフェースモジュール２４０へ送信する。課金システム１２０はまた、データを受信し、次いでそのデータを環境制御デバイス１１０の通信モジュール２３０へ送信することが可能である。例示の実施形態では、課金システム１２０は、環境制御デバイス１１０の利用状况に関する情報を受信し、次いでこの情報を記録する。例示の実施形態では、課金システム１２０は、環境制御デバイス１１０の利用に対して行われた支払いに関連する情報を通信モジュール７１０を介して受信し、次いでこのような情報をデータベース７２０に記録する。尚、図１は、ユーザ施設１５０内に配置された課金システム１２０を示すものではあるが、ある実施形態では、課金システム１２０は、ユーザ施設１５０から遠隔地にある場所に存在してもよい。例えば、ある実施形態では課金システム１２０は広域ネットワーク１０５を介して環境制御デバイス１１０と通信を行うことが可能である。
【００５１】
図８は実施形態に係るユーザデバイス１６０の機能構成要素を示す。ユーザデバイス１６０はウェブブラウザ８１０および表示部８２０を備える。ウェブブラウザ８１０は、例えば、インターネットを経由するワールド・ワイド・ウェブサイトへのアクセスに使用される従来のウェブブラウザであってもよい。表示装置８２０はテキスト、画像、ウェブページおよびその他の情報をユーザに表示する。例えば、環境制御デバイス１１０への入力用としてユーザが選択できる１組の環境制御パラメータを表示装置８２０上に表示することが可能である。ユーザデバイス１６０は、広域ネットワーク１０５またはＬＡＮ１０２を介してユーザが通信可能な任意の装置であってもよい。ユーザデバイス１６０は、直接（有線）リンクを介してあるいは無線で広域ネットワーク１０５またはＬＡＮ１０２と接続することが可能である。ユーザデバイス１６０は情報を表示するための表示画面を備えるものであってもよい。例えば、ユーザデバイス１６０は、パーソナルコンピュータ、ラップトップ・コンピュータ、ワークステーション、メインフレームコンピュータなどであってもよい。上記とは別に、ユーザデバイス１６０は、携帯電話、携帯情報端末などのような移動通信装置であってもよい。その他のデバイスの使用も可能である。
【００５２】
図９は実施形態に係る遠隔監視装置１７０の機能構成要素を示す。実施形態では、遠隔監視装置１７０はユーザが広域ネットワーク１０５を介して通信を行うことが可能な任意の装置であってもよい。遠隔デバイス１７０は広域ネットワーク１０５と接続するためのネットワークインタフェース９１０を含む。遠隔監視装置１７０は、ネットワークインタフェース９１０を介して直接（有線）リンクを経由し、あるいは、ネットワークインタフェース９１０を介して無線で広域ネットワーク１０５と接続することが可能である。例示の実施形態では、遠隔監視装置１７０は、様々な場所で１以上の環境制御デバイスと通信を行って、１以上の環境制御デバイスへ情報を送信するように、および／または、１以上の環境制御デバイスからデータを受信するように図ることが可能である。遠隔監視装置１７０は、ネットワークインタフェース９１０を介してソフトウェアの更新または他の情報を環境制御デバイス１１０へ送信することが可能である。遠隔監視装置１７０は、パフォーマンスおよび機能に関する情報を環境制御デバイス１１０から受信することが可能である。
【００５３】
図１０は実施形態に係るエリア内の環境の制御方法を示すフローチャートである。
【００５４】
任意のステップ１０１０で起動メッセージが受信される。任意のステップ１０１０は本開示のある実施形態に含まれ得るものである。例示の実施形態では起動メッセージが環境制御デバイス１１０において受信される。ある実施形態ではこの起動メッセージはユーザインタフェースモジュール２４０を介して受信される。例えば、ユーザは、ユーザインタフェースモジュール２４０のスロット内へクレジットカードを挿入することが可能である。ある実施形態では起動メッセージは通信モジュール２３０を介して受信される。例えば、環境制御デバイス１１０の利用に対する支払いを承認するフロントデスクへのユーザからの電話に応じて、課金システム１２０から環境制御デバイス１１０へ起動メッセージを送ることが可能である。ある実施形態では、ユーザインタフェース２４０を介して行われた支払いの結果として起動メッセージの受信も可能となる。ある実施形態では、課金システム１２０を介して行われた承認の結果としてこの起動の受信が可能となる。
【００５５】
ある実施形態では、起動メッセージの受信に応じて、環境制御デバイス１１０は、環境制御デバイス１１０による環境制御パラメータの受信準備ができている旨の注意をユーザインタフェースモジュール２４０を介してユーザに対して行うプロンプトを提示することが可能である。ある実施形態では、起動メッセージの受信に応じて、環境制御デバイス１１０は、環境制御デバイス１１０による環境制御パラメータの受信準備ができている旨の信号をＬＡＮ１０２または広域ネットワーク１０５を介して送信することが可能である。この信号に応じて、環境制御デバイス１１０は、ユーザデバイス１４０、課金システム１２０、遠隔監視装置１７０などの外部デバイスから環境制御パラメータを受信することが可能である。例えば、ユーザは、通信モジュール２３０を介して環境制御デバイス１１０へのアクセスを提供するウェブページを開くことにより、ＬＡＮ１０２を介して環境制御デバイス１１０にアクセスすることが可能である。
【００５６】
ステップ１０２０で、環境制御パラメータを含むユーザ入力が受信される。例示の実施形態では、環境制御パラメータを含むユーザ入力が環境制御デバイス１１０において受信される。ある実施形態ではこのユーザ入力はユーザインタフェース２４０を介して受信される。
【００５７】
ある実施形態では、ユーザ入力は、同時的にまたは連続して、あるいはこれらを組み合わせた態様のいずれかで環境制御サブシステム２２０のモジュールのいくつかをトリガーするために使用される複数の環境制御パラメータを含むことが可能である。ある実施形態では、環境制御パラメータは、複数の、回数、持続時間、環境制御パラメータの設定値および環境制御パラメータの範囲値を含むことが可能である。このような１組の環境制御パラメータは環境制御プログラムを構成することが可能である。環境制御プログラムは環境制御デバイス１１０への入力を行うための１組のパラメータを含む。例示の環境制御プログラムのパラメータは、指定された時間にわたって、設定値の指定範囲内で変動する１以上の環境制御パラメータを指定してもよい。
【００５８】
実施形態では、環境制御デバイス１１０は、環境制御デバイス１１０内のセンサが環境制御デバイス１１０の環境変化を監視して、指定された１組の環境制御パラメータから得られるある特定のパラメータが、環境制御プログラムで指定された範囲内に存在するかどうかを検出するように図る環境制御プログラムを処理する。表１は環境制御装置１１０の実施形態で使用され得る１組の環境制御パラメータを示す。
【表１】
0005760093.tif 000002
【００５９】
実施形態では、環境制御サブシステム２２０と接続されたある特定の１組の環境制御モジュールを備えた環境制御デバイス１１０を動作させるのに好適な、ユーザが利用できる１以上の所定の環境制御プログラムを、環境制御デバイスの設置された施設に設けることが可能である。例えば、時差ぼけや季節的な要因による情動障害あるいはその他の病気に起因する影響から人を楽にするための、環境を制御する環境制御プログラムの開発ならびにユーザへのその提供を、ユーザインタフェースモジュール２４０を介してオプションとして行うことが可能である。実施形態では、疲れ、落ち込みおよび快活さなどのユーザのある特定の状態の確立、維持、緩和あるいは変更を行う際にユーザを支援するための環境制御プログラムが提供されたり、別の気分が与えられたりすることが可能である。
【００６０】
ステップ１０３０で、環境制御パラメータに基づいて環境を変更するように構成された環境制御サブシステム２２０が起動される。ユーザ入力が複数の環境制御パラメータを含む実施形態では、環境制御サブシステム２２０の様々なモジュールが起動される。ユーザ入力が環境制御プログラムを含む実施形態では、環境制御サブシステム２２０のモジュールインタフェース３１０は、上記プログラムを処理して、環境制御モジュール２２０のモジュールの動作順序を決定するように図ることが可能である。指定範囲内のある特定の環境制御パラメータを維持するために、モジュールインタフェース３１０は、複数のセンサと相互に作用して、環境制御モジュール２２０のうちの１つの応答が、その応答を変動させるべきかどうかの判定を行うことができる。
【００６１】
ステップ１０４０で、使用状況パラメータに基づいて支払いメッセージが課金システム１２０へ送信され、上記支払いメッセージの結果としてユーザの口座に対して課金が行われる。実施形態では、この支払いメッセージの結果として環境制御デバイス１１０のユーザの口座に対する課金が行われる。ユーザインタフェースモジュール２４０を介してユーザがコインや紙幣を入れることを望む環境制御デバイス１１０の実施形態では、支払いメッセージの送信の結果としてユーザへの課金が決定されると共に、おつりの金額がユーザへ返却されることになる。支払いメッセージが環境制御パラメータに関する受信情報である場合、この支払いメッセージは維持管理兼監視モジュール２５０および課金システム１２０により記録することが可能である。
【００６２】
ある実施形態では上記請求メッセージは起動メッセージを環境制御デバイス１１０へ送信する。環境制御デバイス１１０の使用終了後、環境制御デバイス１１０は支払いメッセージを課金システム１２０へ送信することが可能である。ある実施形態では、この支払いメッセージは環境制御デバイス１１０の使用タイプ、使用量、使用継続時間に関するデータを含むことが可能である。ユーザが環境制御デバイス１１０の利用要求を行うある実施形態では、ウェブブラウザなどの外部デバイス、ユーザインタフェースモジュール２４０、遠隔監視装置１７０、あるいは、環境制御デバイス１１０と通信を行う別のデバイスを介してこの利用要求を実行することが可能である。
【００６３】
ある実施形態では環境制御デバイス１１０は環境制御デバイス１１０の状態に関する情報を含む状態メッセージを伝えることが可能である。例えば、電子オペレーティングログサブシステム６１７に記憶された情報に基づいて、維持管理兼監視モジュール２５０によって、あるいは、維持管理兼監視モジュール２５０の別のサブシステムによって上記状態メッセージを生成することが可能である。実施形態では、状態メッセージは、例えば、水の量や、芳香材の量や、（例えば清潔な状態や不潔な状態などの）空気浄化フィルターの状態、または他の消耗品などの消耗量に関する情報を含むことが可能である。ある実施形態では、この状態メッセージは消耗品の量が多すぎるか、少なすぎるかについての警告を含むものであってもよい。
【００６４】
実施形態では、環境制御デバイス１１０は、環境制御デバイス１１０が動作する環境の変更または環境の制御に使用可能な外部デバイスへのアクセス、制御、及び相互運用を可能にするインタフェースを備えることが可能である。例えば、実施形態では、環境制御デバイス１１０は窓用ブラインド制御デバイスのような、あるエリア内のデバイスと接続することが可能である。例えば、窓用ブラインド制御デバイスは、窓の色合いを変えて、あるエリア内に入る光量の変化を図るデバイスであってもよい。窓用ブラインド制御デバイスはまた、窓用ブラインドの上げ下げを制御したり、窓に付けられた１組のブラインドの開閉を制御したりするデバイスであってもよい。コマンドおよび情報の環境制御デバイス１１０への送信と、環境制御デバイス１１０からのコマンドおよび情報の受信とが可能な外部デバイスの別の例として、例えば、加熱ユニット、ステレオシステム、目覚まし時計、テレビあるいは、あるエリアに関連付け得る他の構成要素が挙げられる。実施形態では、環境制御デバイス１１０は、環境制御デバイス１１０内で受信した環境制御プログラムに基づいて、環境制御デバイスと接続した外部デバイスを動作させることが可能である。
【００６５】
本開示による使用シナリオ例では、環境制御デバイス１１０を利用するホテルの客室にユーザが滞在すると仮定している。ホテルでのチェックイン時に、ユーザは、自分のホテルの客室での環境制御デバイス１１０の利用関連費用が一泊ベースでホテルの請求書に課金されるように指定する。いったん環境制御デバイス１１０が起動メッセージを受信すると、ユーザは、ＬＡＮ１０２を介して環境制御デバイスと接続するウェブページを介してユーザインタフェースモジュール２４０にアクセスする。このウェブページを介してユーザは自分の部屋用の環境制御パラメータ一式を指定する。環境制御デバイス１１０が環境制御パラメータを受信すると、これらのパラメータは、維持管理兼監視モジュール２５０により記憶され、次いで、課金システム１２０および遠隔監視装置１７０へ送信される。
【００６６】
環境制御サブシステム２２０は、受信した環境制御パラメータを処理し、次いでこのサブシステムは、環境制御デバイス１１０に環境制御を開始させる。例えば、受信した環境制御パラメータがある特定の湿度およびある特定の温度であると仮定すると、環境制御サブシステムの適切なモジュールがトリガーされて、機能を開始する。環境制御デバイスが環境の制御を開始した時、環境制御デバイス１１０は、センサを起動して、起動時における環境条件が、要求されている環境制御パラメータの指定条件を満たしているかどうかの判定を行う。一般的な動作では、環境制御デバイス１１０のエリア内環境が環境制御パラメータにより指定された条件を満たしていない。上記条件の下で、環境制御デバイスのセンサは、検知した環境と、環境制御パラメータが指定した条件との間の差異の判定を行う。判定されたこの差異に基づいて、環境制御デバイス１１０のモジュールは、環境を変更するように動作して、これらの指定条件が満たされるようにする。その後、環境制御デバイス１１０は、定期的に環境を検出して、条件が変更されたかどうか、および／または、環境制御サブシステム２２０のモジュールの応答を変更すべきかどうかの判定を行う。
【００６７】
入力された環境制御プログラムで指定された環境制御パラメータが満たされた場合、環境制御デバイス１１０は停止する。この停止に応じて、状態情報は記録され、次いで課金システム１２０および遠隔監視装置１７０へ送信され得る。環境制御デバイス１１０はまた、環境制御デバイス１１０の使用に関連付けられる利用料金の計算を行い、次いでその情報をユーザインタフェースおよび／または課金システム１２０へ送信することが可能である。
【００６８】
本願明細書に記載のシステム、装置および方法は、デジタル回路を使用して、または周知のコンピュータプロセッサ、メモリユニット、記憶デバイス、コンピュータソフトウェアおよびその他の構成要素を用いる１以上のコンピュータを使用して実施され得る。一般的に、コンピュータは、命令を実行するためのプロセッサと、命令およびデータを記憶するための１以上のメモリを含む。コンピュータはまた、１以上の磁気ディスク、内部ハードディスクおよび取り外し可能ディスク、光磁気ディスク、光ディスクなどのような１以上の大容量記憶デバイスを含むか、これらのデバイスと連結されたものであってもよい。
【００６９】
本願に記載のシステム、装置および方法は、クライアント−サーバの関係で動作するコンピュータを用いて実施することが可能である。一般的に、このようなシステムでは、クライアントコンピュータは、サーバコンピュータから離れた遠隔地に配置されて、ネットワークを介して相互交信を行う。クライアント−サーバの関係は、それぞれのクライアントコンピュータおよびサーバコンピュータ上で実行されるコンピュータプログラムにより定義され、制御されるものであってもよい。
【００７０】
本願に記載のシステム、装置および方法はネットワークベースのクラウドコンピューティングシステム内で使用することが可能である。このようなネットワークベースのクラウドコンピューティングシステムでは、ネットワークに接続されているサーバまたは別のプロセッサが、ネットワークを介して１以上のクライアントコンピュータと通信を行う。クライアントコンピュータは、例えば、クライアントコンピュータ上に存在し、動作するネットワークブラウザアプリケーションを介してサーバと通信を行うことが可能である。クライアントコンピュータは、サーバ上にデータを記憶し、ネットワークを介してそのデータにアクセスすることが可能である。クライアントコンピュータは、ネットワークを介してデータ要求またはオンラインサービス要求をサーバへ送信することが可能である。サーバは、要求されたサービスを実行し、クライアントコンピュータへデータを提供することが可能である。サーバはまた、例えば、クライアントコンピュータに計算を行わせたり、画面上に指定データを表示させたりするような指定機能を実行させるように適合されたデータを送信することが可能である。例えば、サーバは、図１０の１以上のステップを含む本願に記載の１以上の方法のステップをクライアントコンピュータに実行させるように適合された要求を送信することが可能である。図１０の１以上のステップを含む本願に記載の方法の諸ステップをサーバにより、あるいは、ネットワークベースのクラウドコンピューティングシステム内の別のプロセッサにより実行することが可能である。図１０の１以上のステップを含む本願に記載の方法の諸ステップをネットワークベースのクラウドコンピューティングシステム内のクライアントコンピュータにより実行することが可能である。ネットワークベースのクラウドコンピューティングシステム内のサーバによっておよび／またはクライアントコンピュータによる任意の組み合わせで、図１０の１以上のステップを含む本願に記載の方法の諸ステップを実行することが可能である。
【００７１】
本願に記載のシステム、装置および方法は、例えば、プログラマブルプロセッサにより実行するための、非一過性コンピュータ可読記憶デバイス内に記憶されたコンピュータプログラム製品を用いて実施することが可能であり、さらに、図１０の１以上のステップを含む本願に記載の方法のステップは、このようなプロセッサにより実行可能な１以上のコンピュータプログラムを用いて実施することが可能である。コンピュータプログラムは、ある活動を実行したり、ある結果をもたらしたりするためにコンピュータ内で直接的または間接的に使用可能な１組のコンピュータプログラム命令である。コンピュータプログラムは、コンパイル言語やインタープリター言語を含む任意の形式のプログラミング言語での記述が可能である共に、スタンドアローン型プログラムとしてまたはモジュールとして、コンポーネント、サブルーチン、あるいはコンピューティング環境の中で使用するのに適した別のユニットを含む任意の形式でこのコンピュータプログラムを配備することが可能である。
【００７２】
本願に記載のシステム、装置および方法を実施するのに使用し得る例示のコンピュータの高度なブロック図が図１１に示されている。コンピュータ１１００はデータ記憶デバイス１１０２およびメモリ１１０３と動作可能に連結されたプロセッサ１１０１を備える。プロセッサ１１０１は、このような動作を定義するコンピュータプログラム命令を実行することによりコンピュータ１１００の全体動作を制御する。これらのコンピュータプログラム命令は、データ記憶デバイス１１０２内に、または、別のコンピュータ可読媒体内に記憶され得ると共に、コンピュータプログラム命令の実行を所望するときメモリ１１０３内にロードされ得る。したがって、メモリ１１０３および／またはデータ記憶デバイス１１０２内に記憶されているコンピュータプログラム命令により図１０の方法のステップを定義することができると共に、コンピュータプログラム命令を実行するプロセッサ１１０１によりこれらの方法のステップを制御することができる。例えば、当業者によりプログラムされたコンピュータ実行可能コードとしてコンピュータプログラム命令を実行して、図１０の方法のステップにより定義されたアルゴリズムを実行することができる。したがって、コンピュータプログラム命令を実行することにより、プロセッサ１１０１は図１０の方法のステップにより定義されたアルゴリズムを実行する。コンピュータ１１００はまた、ネットワークを介して別のデバイスと通信を行うための１以上のネットワークインタフェース１１０４をさらに備える。コンピュータ１１００はまた、コンピュータ１１００とのテスターインターアクション（例えば、ディスプレイ、キーボード、マウス、スピーカ、ボタンなど）を作動可能にする１以上の入出力デバイス１１０５もさらに備える。
【００７３】
プロセッサ１１０１は、汎用および専用双方のマイクロプロセッサを含むことが可能であると共に、このプロセッサは、コンピュータ１１００の唯一のプロセッサまたはマルチプロセッサのうちの１つのプロセッサであってもよい。プロセッサ１１０１は例えば１以上の中央演算処理装置（ＣＰＵｓ）を備えてもよい。プロセッサ１１０１、データ記憶デバイス１１０２および／またはメモリ１１０３は、１以上の特定用途向け集積回路（ＡＳＩＣｓ）および／または１以上のフィールド・プログラマブル・ゲートアレイ（ＦＰＧＡｓ）を含み、これらにより補完されるか、あるいは、これらに組み込まれるものであってもよい。
【００７４】
データ記憶デバイス１１０２およびメモリ１１０３はそれぞれ、有形の非一過性コンピュータ可読記憶媒体を有する。データ記憶デバイス１１０２およびメモリ１１０３は、個々に、ダイナミック・ランダムアクセスメモリ（ＤＲＡＭ）、スタティック・ランダムアクセスメモリ（ＳＲＡＭ）、ダブル・データ・レート・シンクロナス・ダイナミック・ランダムアクセスメモリ（ＤＤＲＲＡＭ）あるいはその他のランダムアクセス固体記憶デバイスのような高速ランダムアクセスメモリを含むものであってもよいと共に、内部ハードディスクおよび取り外し可能ディスク、光磁気ディスク記憶デバイス、光ディスク記憶デバイスのような１以上の磁気ディスク記憶デバイス、フラッシュメモリ素子と、消去可能プログラマブル読み出し専用メモリ（ＥＰＲＯＭ）、電気的消去可能プログラマブル読み出し専用メモリ（ＥＥＰＲＯＭ）、コンパクトディスク読み出し専用メモリ（ＣＤ−ＲＯＭ）、デジタル多用途ディスク読み出し専用メモリ（ＤＶＤ−ＲＯＭ）ディスク、その他の不揮発性固体記憶デバイスなどの半導体メモリデバイスを含むことが可能である。
【００７５】
入出力デバイス１１０５はプリンタ、スキャナ、表示画面などのような周辺装置を含むものであってもよい。例えば、入出力デバイス１１０５は、ユーザに対して情報を表示するためのブラウン管（ＣＲＴ）または液晶表示装置（ＬＣＤ）モニタのような表示デバイスと、ユーザがコンピュータ１１００への入力を提供することができるキーボードおよびマウスまたはトラックボールのようなポインティング・デバイスとを含むことが可能である。
【００７６】
環境制御デバイス１１０、課金システム１２０、ユーザデバイス１４０、遠隔監視装置１７０、および、入力デバイス５０２、表示デバイス５０４、環境制御モジュール２２０、通信モジュール２３０および維持管理兼監視モジュール２５０を含むこれらデバイスの構成要素を含む、本明細書に記載のいずれかのまたは全てのシステムおよび装置は、コンピュータ１１００のようなコンピュータを用いて実施されるものであってもよい。
【００７７】
当業者であれば、実際のコンピュータまたはコンピュータシステムの実装構成が別の構造を含み得ること、あるいは、別の構成要素も同様に含み得ること、ならびに、図１１が、例示目的のためのコンピュータなどの構成要素のいくつかを示す高度な表示であることを認識するであろう。
【００７８】
上記詳細な説明は、あらゆる点で例示を目的とするものとして理解すべきものであって、本発明を限定するものとして理解すべきではなく、さらに、本願に開示された本発明の範囲は、詳細な説明から判断すべきものではなく、むしろ特許法で許可されるあらゆる幅の範囲に基づいて解釈されるような請求項から判断すべきものである。本願に記載及び図示された諸実施形態が単に本発明の原理を例示するものにすぎないこと、ならびに、種々の変更が本発明の趣旨と範囲から逸脱することなく当業者により実施され得るものであることを理解されたい。当業者は、本発明の趣旨と範囲から逸脱することなく、様々な別の特徴の組み合わせを実施することが可能である。
【図１】
0005760093.tif 000003
【図２】
0005760093.tif 000004
【図３】
0005760093.tif 000005
【図４】
0005760093.tif 000006
【図５】
0005760093.tif 000007
【図６】
0005760093.tif 000008
【図７】
0005760093.tif 000009
【図８】
0005760093.tif 000010
【図９】
0005760093.tif 000011
【図１０】
0005760093.tif 000012
【図１１】
0005760093.tif 000013